【手続補正書】
【提出日】平成16年6月23日(2004.6.23)
【手続補正１】
【補正対象書類名】明細書
【補正対象項目名】特許請求の範囲
【補正方法】変更
【補正の内容】
【特許請求の範囲】
【請求項１】
出力信号を発生する出力信号発生部と、
微小信号が入力される反転入力端子と、基準電位が印加される非反転入力端子とを有し、この微小信号と前記出力信号発生部の出力信号とに基づいて所定の演算をする演算部と、
前記演算部の出力信号から高域成分を除去する低域通過フィルタ部と、
前記低域通過フィルタ部の出力信号が入力される増幅部と、
前記増幅部の出力信号が所定範囲内にないときには、操作信号を発生する操作信号発生部とを備え、
前記微小信号と前記出力信号発生部の出力信号とに基づいて、前記増幅部の出力信号を所定範囲内とすること、
を特徴とする微小信号処理回路。
【請求項２】
請求項１に記載の微小信号処理回路において、
前記演算部、前記低域通過フィルタ部及び増幅部は、共通する一つの演算増幅器によって構成されること、
を特徴とする微小信号処理回路。
【請求項３】
ブレを検出し、ブレ検出信号を出力するブレ検出部と、
前記ブレ検出信号が入力される反転入力端子と、基準電位が印加される非反転入力端子とを有し、このブレ検出信号から高域成分を除去する低域通過フィルタ部と、
前記低域通過フィルタ部の出力信号が入力される増幅部と、
を含むことを特徴とするブレ検出回路。
【請求項４】
ブレを検出し、ブレ検出信号を出力するブレ検出部と、
前記ブレ検出信号が入力される反転入力端子と、基準電位が印加される非反転入力端子とを有する増幅部と、
前記増幅部に出力信号が入力し、前記ブレ検出信号から高域成分を除去する低域通過フィルタ部と、
を含むことを特徴とするブレ検出回路。
【請求項５】
ブレを検出し、ブレ検出信号を出力するブレ検出部と、
出力信号を発生する出力信号発生部と、
前記ブレ検出信号が入力される反転入力端子と、基準電位が印加される非反転入力端子とを有し、このブレ検出信号と前記出力信号発生部の出力信号とに基づいて所定の演算をする演算部と、
前記演算部の出力信号から高域成分を除去する低域通過フィルタ部と、
前記低域通過フィルタ部の出力信号が入力される増幅部と、
前記増幅部の出力信号が所定範囲内にないときには、操作信号を発生する操作信号発生部とを備え、
前記ブレ検出信号と前記出力信号発生部の出力信号とに基づいて、前記増幅部の出力信号を所定範囲内とすること、
を特徴とするブレ検出回路。
【請求項６】
請求項５に記載のブレ検出回路において、
前記演算部、前記低域通過フィルタ部及び増幅部は、共通する一つの演算増幅器によって構成されること、
を特徴とするブレ検出回路。
【請求項７】
請求項６に記載のブレ検出回路において、
前記ブレ検出部は、ブレをｎ個の軸成分に分解したときに、各軸方向に沿ったブレを検出するために、それぞれｎ個設けられており、
前記演算増幅器は、前記ブレ検出部に対応して、１軸当たり１個で構成されていること、
を特徴とするブレ検出回路。
【手続補正２】
【補正対象書類名】明細書
【補正対象項目名】００２５
【補正方法】削除
【補正の内容】
【手続補正３】
【補正対象書類名】明細書
【補正対象項目名】００２６
【補正方法】削除
【補正の内容】
【手続補正４】
【補正対象書類名】明細書
【補正対象項目名】００２７
【補正方法】変更
【補正の内容】
【００２７】
【課題を解決するための手段】
本発明は、以下のような解決手段により、前記課題を解決する。なお、理解を容易にするために、本発明の実施形態に対応する符号を付して説明するが、これに限定されるものではない。
すなわち、請求項１の発明は、出力信号（ＶＤＡ）を発生する出力信号発生部（４）と、微小信号（Ｖｏ）が入力される反転入力端子（−）と、基準電位（Ｖｒｅｆ）が印加される非反転入力端子（＋）とを有し、この微小信号と前記出力信号発生部の出力信号とに基づいて所定の演算をする演算部（Ｒ１，Ｒ２，Ｒ３，Ｒ４，ＯＰ１）と、前記演算部の出力信号から高域成分を除去する低域通過フィルタ部（Ｒ１，Ｒ２，Ｒ３，Ｃ１，Ｃ２）と、前記低域通過フィルタ部の出力信号が入力される増幅部（ＯＰ１）と、前記増幅部の出力信号が所定範囲内にないときには、操作信号を発生する操作信号発生部（３）とを備え、前記微小信号と前記出力信号発生部の出力信号とに基づいて、前記増幅部の出力信号（Ｖω）を所定範囲内とすることを特徴とする微小信号処理回路である。
【手続補正５】
【補正対象書類名】明細書
【補正対象項目名】００２８
【補正方法】変更
【補正の内容】
【００２８】
請求項２の発明は、請求項１に記載の微小信号処理回路において、前記演算部、前記低域通過フィルタ部及び増幅部は、共通する一つの演算増幅器（ＯＰ１）によって構成されることを特徴とする微小信号処理回路である。
【手続補正６】
【補正対象書類名】明細書
【補正対象項目名】００２９
【補正方法】変更
【補正の内容】
【００２９】
請求項３の発明は、ブレを検出し、ブレ検出信号（Ｖｏ）を出力するブレ検出部（１）と、前記ブレ検出信号が入力される反転入力端子（−）と、基準電位（Ｖｒｅｆ）が印加される非反転入力端子（＋）とを有し、このブレ検出信号から高域成分を除去する低域通過フィルタ部（Ｒ１０，Ｒ２０，Ｒ３０，Ｃ１０，Ｃ２０，ＯＰ１０）と、前記低域通過フィルタ部の出力信号が入力される増幅部（ＯＰ２０）とを含むことを特徴とするブレ検出回路である。
【手続補正７】
【補正対象書類名】明細書
【補正対象項目名】００３０
【補正方法】変更
【補正の内容】
【００３０】
請求項４の発明は、ブレを検出し、ブレ検出信号（Ｖｏ）を出力するブレ検出部（１）と、前記ブレ検出信号が入力される反転入力端子（−）と、基準電位（Ｖｒｅｆ）が印加される非反転入力端子（＋）とを有する増幅部（ＯＰ２０）と、前記増幅部に出力信号が入力し、前記ブレ検出信号から高域成分を除去する低域通過フィルタ部（Ｒ１０，Ｒ２０，Ｒ３０，Ｃ１０，Ｃ２０，ＯＰ１０）とを含むことを特徴とするブレ検出回路である。
【手続補正８】
【補正対象書類名】明細書
【補正対象項目名】００３１
【補正方法】変更
【補正の内容】
【００３１】
請求項５の発明は、ブレを検出し、ブレ検出信号（Ｖｏ）を出力するブレ検出部（１）と、出力信号（ＶＤＡ）を発生する出力信号発生部（４）と、前記ブレ検出信号が入力される反転入力端子（−）と、基準電位（Ｖｒｅｆ）が印加される非反転入力端子（＋）とを有し、このブレ検出信号と前記出力信号発生部の出力信号とに基づいて所定の演算をする演算部（Ｒ１，Ｒ２，Ｒ３，Ｒ４，ＯＰ１）と、前記演算部の出力信号から高域成分を除去する低域通過フィルタ部（Ｒ１，Ｒ２，Ｒ３，Ｃ１，Ｃ２）と、前記低域通過フィルタ部の出力信号が入力される増幅部（ＯＰ１）と、前記増幅部の出力信号（Ｖω）が所定範囲内にないときには、操作信号を発生する操作信号発生部（３）とを備え、前記ブレ検出信号と前記出力信号発生部の出力信号とに基づいて、前記増幅部の出力信号を所定範囲内とすることを特徴とするブレ検出回路である。
【手続補正９】
【補正対象書類名】明細書
【補正対象項目名】００３２
【補正方法】変更
【補正の内容】
【００３２】
請求項６の発明は、請求項５に記載のブレ検出回路において、 前記演算部、前記低域通過フィルタ部及び増幅部は、共通する一つの演算増幅器（ＯＰ１）によって構成されることを特徴とするブレ検出回路である。
【手続補正１０】
【補正対象書類名】明細書
【補正対象項目名】００３３
【補正方法】変更
【補正の内容】
【００３３】
請求項７の発明は、請求項６に記載のブレ検出回路において、前記ブレ検出部は、ブレをｎ個の軸成分に分解したときに、各軸方向に沿ったブレを検出するために、それぞれｎ個設けられており、前記演算増幅器は、前記ブレ検出部に対応して、１軸当たり１個で構成されていることを特徴としているブレ検出回路である。
【手続補正１１】
【補正対象書類名】明細書
【補正対象項目名】００５９
【補正方法】変更
【補正の内容】
【００５９】
【発明の効果】
以上詳しく説明したように、本発明によれば以下のような種々の効果がある。
（１）微小信号が入力される反転入力端子と、基準電位が印加される非反転入力端子とを有し、この微小信号から高域成分を除去する低域通過フィルタ部と、この低域通過フィルタ部の出力信号が入力される増幅部とを含むので、増幅部の同相入力範囲による制限を受けない回路形式とすることができる。
【手続補正１２】
【補正対象書類名】明細書
【補正対象項目名】００６０
【補正方法】変更
【補正の内容】
【００６０】
（２）微小信号が入力される反転入力端子と、基準電位が印加される非反転入力端子とを有する増幅部と、この増幅部の出力信号が入力し、微小信号から高域成分を除去する低域通過フィルタ部とを含むので、増幅部の同相入力範囲による制限を受けない回路形式とすることができる。
【手続補正１３】
【補正対象書類名】明細書
【補正対象項目名】００６１
【補正方法】変更
【補正の内容】
【００６１】
（３）演算部は、微小信号が入力される反転入力端子と、基準電位が印加される非反転入力端子とを有し、この微小信号と出力信号発生部の出力信号とに基づいて所定の演算をし、低域通過フィルタ部は、この演算部の出力信号から高域成分を除去し、この低域通過フィルタ部の出力信号は、増幅部に入力し、操作信号発生部は、増幅部の出力信号が所定範囲内にないときには、操作信号を発生し、この微小信号とこの出力信号発生部の出力信号とに基づいて、増幅部の出力信号を所定範囲内とする。したがって、増幅部の同相入力範囲による制限を受けない回路形式とすることができる。また、オフセット成分を小さく抑えることができるとともに、増幅部の出力信号を基準電位近傍に素早く収束することができる。
【手続補正１４】
【補正対象書類名】明細書
【補正対象項目名】００６２
【補正方法】変更
【補正の内容】
【００６２】
（４）演算部、低域通過フィルタ部及び増幅部は、共通する一つの演算増幅器によって構成されるので、部品点数を削減することができ、実装上有利な回路とすることができる。
【手続補正１５】
【補正対象書類名】明細書
【補正対象項目名】００６３
【補正方法】変更
【補正の内容】
【００６３】
（５）ブレを検出し、ブレ検出信号を出力するブレ検出部と、ブレ検出信号が入力される反転入力端子と、基準電圧が印加される非反転入力端子とを有し、このブレ検出信号から高域成分を除去する低域通過フィルタ部と、この低域通過フィルタ部の出力信号が入力される増幅部とを含むので、増幅部の同相入力範囲による制限を受けない回路形式とすることができる。
【手続補正１６】
【補正対象書類名】明細書
【補正対象項目名】００６４
【補正方法】変更
【補正の内容】
【００６４】
（６）ブレを検出し、ブレ検出信号を出力するブレ検出部と、このブレ検出信号が入力される反転入力端子と、基準電圧が印加される非反転入力端子とを有する増幅部と、この増幅部の出力信号が入力し、ブレ検出信号から高域成分を除去する低域通過フィルタ部とを含むので、増幅部の同相入力範囲による制限を受けない回路形式とすることができる。
【手続補正１７】
【補正対象書類名】明細書
【補正対象項目名】００６５
【補正方法】変更
【補正の内容】
【００６５】
（７）演算部は、ブレ検出信号が入力される反転入力端子と、基準電位が印加される非反転入力端子とを有し、このブレ検出信号と出力信号発生部の出力信号とに基づいて所定の演算をし、低域通過フィルタ部は、この演算部の出力信号から高域成分を除去し、この低域通過フィルタ部の出力信号は、増幅部に入力し、操作信号発生部は、この増幅部の出力信号が所定範囲内にないときには、操作信号を発生し、ブレ検出信号と出力信号発生部の出力信号とに基づいて、増幅部の出力信号を所定範囲内とする。したがって、増幅部の同相入力範囲による制限を受けない回路形式とすることができる。また、オフセット成分を小さく抑えることができるとともに、増幅部の出力信号を基準電位近傍に素早く収束することができる。
【手続補正１８】
【補正対象書類名】明細書
【補正対象項目名】００６６
【補正方法】変更
【補正の内容】
【００６６】
（８）演算部、低域通過フィルタ部及び増幅部は、共通する一つの演算増幅器によって構成されるので、部品点数を削減することができ、実装上有利な回路とすることができる。
【手続補正１９】
【補正対象書類名】明細書
【補正対象項目名】００６７
【補正方法】変更
【補正の内容】
【００６７】
（９）ブレ検出部は、ブレをｎ個の軸成分に分解したときに、各軸方向に沿ったブレを検出するために、それぞれｎ個設けられており、演算増幅器は、ブレ検出部に対応して、１軸当たり１個で構成されているので、演算増幅器の点数を減らすことができるとともに、実装スペースを確保することができる。